(57)【特許請求の範囲】
【請求項１】
第１のタッチセンサと、第２のタッチセンサと、を有するタッチパネルにおいて、
前記第１のタッチセンサが被検知体を検出する第１のステップと、
前記第２のタッチセンサの動作を有効にする動作を開始する第２のステップと、
前記第２のタッチセンサが被検知体を検出する第３のステップと、
前記第３のステップで被検知体を検出した場合、第１のコマンドが実行される第４のステップと、
前記第２のタッチセンサの動作を無効にする動作を開始する第５のステップと、
前記第３のステップで被検知体を検出しない場合、前記第５のステップに移行する第６のステップと、を有し、
前記第２のステップにおいて、
前記第１のタッチセンサが被検知体を検出した場合に、前記第２のタッチセンサの動作を有効にする動作を開始し、
前記第２のステップと、前記第６のステップと、の間に第１の時間を有し、
前記第１の時間は、０．０５秒以上０．５秒以下である、
タッチパネルのコマンド入力方法。
【発明の詳細な説明】
【技術分野】
【０００１】
本発明の一態様は、タッチパネルに関する。または、本発明の一態様は、タッチパネルのコマンド入力方法に関する。
【０００２】
なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、を一例として挙げることができる。
【０００３】
なお、本明細書等において、タッチパネルとは、タッチセンサを搭載した表示装置（または表示モジュール）を指す。タッチパネルは、タッチスクリーンという場合がある。なお、表示装置を有しておらず、タッチセンサのみで構成されている部材に対して、そのような部材のことをタッチパネルと呼ぶ場合もある。または、タッチセンサを搭載した表示装置は、タッチセンサ付表示装置、表示装置付タッチパネル、または、表示モジュール、などとも呼ばれる場合もある。
【背景技術】
【０００４】
表示装置およびタッチセンサを含むタッチパネルを採用した代表的な製品として、スマートフォンが挙げられる。タッチセンサは、表示装置と重ね合わせるか、画素内に組み込まれることによって構成される。
【０００５】
タッチセンサは表示装置の画面を複数に分割する区画に重ねて配置され、表示装置が表示するアイコンの位置に相当する場所をタッチすることにより、使用者はコマンド入力を行う。複雑な処理を行うスマートフォンでは、使用時は常に使用者が把持し目視のもとで操作を行うことを前提にしているため、タッチパネルには一定の分解能が要求される。
【０００６】
一方で、コマンド入力をタッチ回数に応じて行う情報案内端末（カーナビゲーション）など、目視に依存しない操作を可能にするコマンド入力装置が提案されている（特許文献１）。
【先行技術文献】
【特許文献】
【０００７】
【特許文献１】特開２００４−３６２４２９号公報
【発明の概要】
【発明が解決しようとする課題】
【０００８】
モバイル機器の進化により、スマートウォッチなどのウェアラブル端末の開発が進んでいる。ウェアラブル端末においては、サイズの縮小化、軽量化、入力インタフェースの簡便化などが求められている。また、血圧や脈拍などのバイタルサインをモニタリングするウェアラブル端末の製品化も行われている。
【０００９】
上記のようなウェアラブル端末は、例えばランニングやサイクリングなどの運動をしながら端末を扱う機会が多い。使用者が行動しながら端末を使用するためには、目視に依存せず、簡便であり、誤操作の少ない入力インタフェースが望ましい。
【００１０】
本発明の一態様は、目視に依存しない操作が可能なタッチパネルまたはタッチパネルのコマンド入力方法を提供することを課題の一とする。または、本発明の一態様は、誤操作の少ないタッチパネルまたはタッチパネルのコマンド入力方法を提供することを課題の一とする。または、本発明の一態様は、消費電力を低減したタッチパネルまたはタッチパネルのコマンド入力方法を提供することを課題の一とする。または、本発明の一態様は、新規なタッチパネルまたはタッチパネルのコマンド入力方法を提供することを課題の一とする。
【００１１】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【００１２】
本発明の一態様は、第１のタッチセンサと、第２のタッチセンサと、を有するタッチパネルにおいて、第１のタッチセンサが被検知体を検出する第１のステップと、第２のタッチセンサの動作を有効にする動作を開始する第２のステップと、第２のタッチセンサが被検知体を検出する第３のステップと、第３のステップで、被検知体を検出した場合、第１のコマンドが実行される第４のステップと、第２のタッチセンサの動作を無効にする動作を開始する第５のステップと、第３のステップで、被検知体を検出しない場合、第５のステップに移行する第６のステップと、を有し、第２のステップにおいて、第１のタッチセンサが被検知体を検出した場合に、第２のタッチセンサの動作を有効にする動作を開始し、第２のステップと、第３のステップと、の間に第１の時間を有し、第２のステップと、第５のステップと、の間に第１の時間を有し、第２のステップと、第６のステップと、の間に第１の時間を有し、第１の時間は、０．０５秒以上０．５秒以下である、タッチパネルのコマンド入力方法。
【００１３】
また、表示部と、第１のタッチセンサと、第２のタッチセンサと、を有し、第１のタッチセンサと、第２のタッチセンサとの間に間隔を有し、第１のタッチセンサと、第２のタッチセンサと、は同一面上に設けられるタッチパネルも本発明の一態様である。
【００１４】
また、第１のタッチセンサは、表示部と重なる領域を有し、第２のタッチセンサは、表示部と重なる領域を有する上記のタッチパネルも、本発明の一態様である。
【００１５】
また、表示部が、表示素子を有し、表示素子は、ＥＬ素子、液晶素子または電気泳動素子である上記のタッチパネルも、本発明の一態様である。
【００１６】
また、ドライバＩＣを有し、ドライバＩＣは、走査線駆動回路制御部および検出回路を有し、表示部は、走査線駆動回路を有し、走査線駆動回路制御部は、クロック信号を検出回路および走査線駆動回路に出力する機能を有する上記のタッチパネルも、本発明の一態様である。
【００１７】
本発明の一態様は、電子機器と、演算装置と、を有する表示システムであって、電子機器は、表示部と、第１のタッチセンサと、第２のタッチセンサと、通信部と、を有し、第１のタッチセンサと、第２のタッチセンサとの間に間隔を有し、第１のタッチセンサと、第２のタッチセンサと、は同一面上に設けられており、第１のタッチセンサと、第２のタッチセンサと、はコマンドを検出する機能を有し、通信部は、コマンドに応じた第１のデータを演算装置に送信する機能を有し、演算装置は、前記第１のデータに応じた第２のデータを出力する機能を有し、演算装置は、第２のデータを通信部に送信する機能を有し、表示部は、第２のデータに応じた表示を行う機能を有する。
【００１８】
また、通信部が、演算装置と無線通信を行う機能を有する構成も、本発明の一態様である。
【００１９】
また、電子機器と、第１の演算装置と、第２の演算装置と、を有する表示システムであって、電子機器は、表示部と、第１のタッチセンサと、第２のタッチセンサと、通信部と、を有し、第１のタッチセンサと、第２のタッチセンサとの間に間隔を有し、第１のタッチセンサと、第２のタッチセンサと、は同一面上に設けられており、第１のタッチセンサと、第２のタッチセンサと、はコマンドを検出する機能を有し、通信部は、コマンドに応じた第１のデータを第１の演算装置に送信する機能を有し、第１の演算装置は、第１のデータを、ネットワークを介して第２の演算装置に送信する機能を有し、第２の演算装置は、前記第１のデータに応じた第２のデータを出力する機能を有し、第２の演算装置は、第２のデータを、ネットワークを介して第１の演算装置に送信する機能を有し、第１の演算装置は、第２のデータを通信部に送信する機能を有し、表示部は、第２のデータに応じた表示を行う機能を有する。
【００２０】
また、通信部が、第１の演算装置と無線通信を行う機能を有する構成も、本発明の一態様である。
【発明の効果】
【００２１】
本発明の一態様によれば、目視に依存しない操作が可能なタッチパネルまたはタッチパネルのコマンド入力方法を提供できる。または、本発明の一態様によれば、誤操作の少ないタッチパネルまたはタッチパネルのコマンド入力方法を提供できる。または、本発明の一態様によれば、消費電力を低減したタッチパネルまたはタッチパネルのコマンド入力方法を提供できる。または、本発明の一態様によれば、新規なタッチパネルまたはタッチパネルのコマンド入力方法を提供できる。
【００２２】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２３】
【図１】実施の形態に係るタッチパネルの構成を説明する上面図および斜視図。
【図２】実施の形態に係るタッチパネルの構成を説明する上面図および斜視図。
【図３】実施の形態に係るタッチパネルの動作を説明するフローチャート。
【図４】実施の形態に係るタッチパネルの操作を説明する上面図。
【図５】実施の形態に係るタッチパネルの操作を説明する上面図。
【図６】実施の形態に係るタッチパネルの操作を説明する上面図。
【図７】実施の形態に係るタッチパネルの構成を説明するブロック図。
【図８】実施の形態に係るタッチパネルの構成を説明するブロック図。
【図９】実施の形態に係るタッチパネルの構成を説明する上面図。
【図１０】実施の形態に係るタッチパネルの動作を説明するフローチャート。
【図１１】実施の形態に係るタッチパネルの操作を説明する上面図。
【図１２】実施の形態に係るタッチパネルの操作を説明する上面図。
【図１３】電子機器を用いた表示システムを説明する図。
【図１４】電子機器を用いた表示システムを説明するブロック図。
【図１５】電子機器を用いた表示システムを説明するフローチャート。
【発明を実施するための形態】
【００２４】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００２５】
（実施の形態１）
本実施の形態では、本発明の一態様のタッチパネルおよびタッチパネルのコマンド入力方法について、図１乃至図１２を用いて説明する。
【００２６】
＜タッチパネルの構成例１＞
図１（Ａ）に、腕時計型のタッチパネル７００の主な要素を含む上面図を示す。また図１（Ｂ）にタッチパネル７００の斜視図を示す。本発明の一態様のタッチパネル７００は、筐体７０１、表示パネル、タッチセンサ７１０Ａ、７１０Ｂ、を有する。表示パネルは、表示部７０２を有する。図１（Ａ）ではタッチパネル７００が操作ボタン７２１、７２２を有する例を示しているが、これらを有していなくてもよい。
【００２７】
タッチセンサ７１０Ａ、７１０Ｂ（以下、２つをまとめて言及する場合はタッチセンサ７１０と記す）は、それぞれ互いに間隔を有して同一面上に設けられている。タッチセンサ７１０は表示パネル上に設けられていてもよく、表示パネル内に組み込まれていてもよい。
【００２８】
図１（Ａ）ではタッチセンサ７１０Ａとタッチセンサ７１０Ｂが同じ大きさである例を示しているが、これに限られない。タッチセンサ７１０Ａがタッチセンサ７１０Ｂより大きくてもよく、タッチセンサ７１０Ａがタッチセンサ７１０Ｂより小さくてもよい。
【００２９】
タッチパネル７００は、タッチセンサ７１０が被検知体を検出することでコマンド入力を行うことができる。具体的には、例えば、タッチセンサ７１０Ａが被検知体を検出して所定時間内にタッチセンサ７１０Ｂが被検知体を検出することで、コマンド入力を行うことができる。また、タッチセンサ７１０Ｂが被検知体を検出して所定時間内にタッチセンサ７１０Ａが被検知体を検出することで、コマンド入力を行ってもよい。コマンド入力によって実行される処理内容としては、例えば、表示部７０２の表示内容の変更、表示モードの変更、タッチパネル７００の操作ロック、ロック解除、電源オフなどが挙げられる。
【００３０】
複数のタッチセンサの連続的な検出によってコマンド入力を行うことで、外的なノイズや曖昧なタッチなどによるチャタリングを防止することができる。また、タッチセンサ７１０Ａとタッチセンサ７１０Ｂが間隔を有して設けられることで、複数のタッチセンサが被検知体を同時に検出するなどの誤操作を防止することができる。
【００３１】
また、タッチセンサ７１０Ａ、７１０Ｂの各領域にそれぞれ一のセンサ素子を配置することでタッチパネル７００を駆動できるため、タッチセンサ７１０の動作に係る回路の構成を簡便にすることができる。
【００３２】
また、タッチセンサ７１０は表示部７０２と重なる領域を有することが好ましい。特に、タッチセンサ７１０が上面図において表示部７０２の端部より内側に設けられることが好ましい。このような構成とすることで、タッチパネル７００における表示部７０２の面積を広くすることができる。
【００３３】
タッチセンサ７１０には、指等の被検知体の近接または接触を検出することができる様々なセンサを適用することができる。例えば、タッチセンサ７１０として、静電容量方式のタッチセンサ、光電変換素子を用いた光学式センサ、感圧素子を用いた感圧センサなどを用いることができる。
【００３４】
なお、タッチパネル７００はタッチセンサ７１０Ａまたはタッチセンサ７１０Ｂが被検知体を検出することでコマンド入力を行う機能を有していてもよい。また、操作ボタン７２１を押すことで、またはダイヤル状の操作ボタン７２２を回転させることでコマンド入力を行う機能を有していてもよい。例えば、操作ボタン７２１はタッチパネル７００の電源オンおよび電源オフを行う機能を有する。
【００３５】
ベゼル部を兼ねる筐体７０１に搭載された表示パネルは、矩形状の表示部７０２を有している。図１（Ｂ）に示す表示部７０２は曲面を構成しているが、平面であってもよい。表示部７０２を備える表示パネルは可撓性を有することが好ましい。なお、表示領域は非矩形状、例えば円形であってもよい（図２（Ａ）、（Ｂ）参照）。表示部７０２は複数の画素を有し、画素は表示素子を含む。例えば、表示素子として液晶素子、ＥＬ（Ｅｌｅｃｔｒｏ  Ｌｕｍｉｎｅｓｃｅｎｃｅ）素子、電気泳動素子などが挙げられる。
【００３６】
タッチパネル７００はバンド７２５Ａ、７２５Ｂ、留め金７２３を有する（図１（Ｂ）参照）。バンド７２５Ａおよびバンド７２５Ｂは、筐体７０１と接続される。留め金７２３は、バンド７２５Ａと接続される。バンド７２５Ａと筐体７０１とは、例えばピンを介して接続部が回転できるように接続される。バンド７２５Ｂと筐体７０１、ならびにバンド７２５Ａと留め金７２３の接続についても同様である。
【００３７】
なお、タッチセンサ７１０Ｂはタッチセンサ７１０Ａが被検知体を検出した時に有効とすることが好ましい。タッチパネル７００の操作を行わない待機状態において、タッチセンサ７１０Ａのみを検出可能な状態とすることで、タッチパネル７００の消費電力を低減することができる。
【００３８】
＜タッチパネルのコマンド入力方法１＞
以下より、図３および図４を用いてタッチパネル７００のコマンド入力方法の一例について説明する。なお、タッチセンサ７１０が有効または無効となる動作が開始されてから、実際に有効または無効となるまでにはタイムラグが生じる場合がある。
【００３９】
図３は、タッチパネル７００にコマンド入力を行うまでの流れを示すフローチャートである。タッチパネル７００のコマンド入力方法は、以下の５つのステップを含む。
【００４０】
タッチパネル７００はコマンド入力待ちの状態において、タッチセンサ７１０Ａのみが有効であり、タッチセンサ７１０Ｂは駆動していない。まず、タッチセンサ７１０Ａが被検知体の接触または近接を検出する（以下、「タッチを検出する」と記す）と、タッチセンサ７１０Ｂが有効となる動作が開始される（図３のＳ０１、Ｓ０２参照）。
【００４１】
その後、タッチセンサ７１０Ｂがタッチを検出すると、タッチパネル７００はコマンドａが入力されたことを認識し、コマンドａに対応する処理内容を実行する（図３のＳ０３、Ｓ０４参照）。そして、タッチセンサ７１０Ｂが有効となって時間Ｔ１以内にタッチセンサ７１０Ｂがタッチを検出しなかったとき、またはコマンドａが認識された後に、タッチセンサ７１０Ｂが無効となる動作が開始される（図３のＳ０５参照）。
【００４２】
タッチパネル７００へのコマンド入力は、フリックまたはスワイプによって行うことが好ましい。タッチセンサ７１０Ａとタッチセンサ７１０Ｂが間隔を有して広い領域に設けられているため、使用者の目視に依存することなく確実にコマンド入力を行うことができる。例えば、図４に示すように指７７７でタッチセンサ７１０Ａを始点、タッチセンサ７１０Ｂを終点としたフリックまたはスワイプを行うことで、コマンドａを入力することができる。なお、本明細書等においてフリックとはタッチパネルに指で触れながら指の位置を素早く移動させる操作を指し、スワイプとはタッチパネルに指で触れながら指の位置をゆっくり移動させる操作を指す。
【００４３】
時間Ｔ１は任意に設定することができる。例えば、図４に示すフリックまたはスワイプによってコマンド入力を行う場合、タッチセンサ７１０Ａ、７１０Ｂ間の距離および指７７７の移動速度に応じて時間Ｔ１を設定する。具体的には、時間Ｔ１は０．０５秒以上０．５秒以下とする。
【００４４】
コマンドａに対応する処理内容としては、上述の処理内容を適宜割り当てることができる。
【００４５】
なお、図５に示すように、タッチセンサ７１０Ａ、７１０Ｂを２本の指７７７で同時にタッチすることでコマンド入力を行ってもよい。タッチパネル７００がコマンド入力待ちの状態において、タッチセンサ７１０Ａに加えてタッチセンサ７１０Ｂも有効にすることで、この方法で確実にコマンド入力を行うことができる。
【００４６】
また、タッチセンサ７１０として感圧センサを用いる場合、タッチセンサ７１０が押圧の強さを識別できることを利用して複数のコマンド入力を行うことができる。例えば、図６（Ａ）に示すように指７７７でタッチセンサ７１０Ａを強く押し、引き続いてタッチセンサ７１０Ａを始点、タッチセンサ７１０Ｂを終点としたフリックまたはスワイプを行うことで、コマンドａとは異なるコマンド（例えばコマンドｂ）を入力することができる。また、図６（Ｂ）に示すように指７７７でタッチセンサ７１０Ａを始点、タッチセンサ７１０Ｂを終点としたフリックまたはスワイプを行い、引き続いてタッチセンサ７１０Ｂを強く押すことで、コマンドａとは異なるコマンド（例えばコマンドｃ）を入力することができる。
【００４７】
コマンドｂ、コマンドｃに対応する処理内容としては、それぞれ上述の処理内容を適宜割り当てることができる。
【００４８】
＜タッチパネルの回路構成例＞
本発明の一態様のタッチパネル７００は、タッチセンサ７１０の動作に係る回路の構成を簡便にすることができる。例えば、表示部７０２に表示する情報に係る信号を生成するドライバＩＣ、およびドライバＩＣを制御する制御回路によって、タッチセンサ７１０の動作を制御する構成とすることができる。タッチパネルの制御を主とする制御回路をタッチパネル７００に設けなくてもよいため、タッチパネル７００を構成する部品点数を削減することができる。
【００４９】
以下より、タッチパネル７００が備える回路構成の一例について、図７を用いて説明する。図７において、矢印の方向は信号が伝達する方向を示している。
【００５０】
タッチパネル７００は、制御回路７３１、ドライバＩＣ７３５、タッチセンサ７１０および表示部７０２を有する。ドライバＩＣ７３５は、走査線駆動回路（ＧＤ）制御部７３２、データ制御部７３４、検出回路７３６Ａ、７３６Ｂおよび判定回路７３７を有する。タッチセンサ７１０は、タッチセンサ７１０Ａ、７１０Ｂを有する。表示部７０２は、走査線駆動回路（ＧＤ）７０５、信号線駆動回路（ＳＤ）７０６を有する。
【００５１】
制御回路７３１は、ドライバＩＣ７３５の動作を制御する機能を有する。具体的には、ＧＤ制御部７３２、およびデータ制御部７３４に、それぞれ所定の信号Ｓｉｇ７４８、およびＳｉｇ７４９を出力する。また、制御回路７３１は、判定回路７３７から出力される割り込み要求信号（ＩＲＱ７４７）を受け取った場合に、該割り込み要求信号に対応するコマンドを実行する機能を有する。
【００５２】
ＧＤ制御部７３２は、Ｓｉｇ７４８に応じて、ＧＣＫ７４２、ＧＳＰ７４３を生成する。ＧＣＫ７４２はクロック信号であり、ＧＤ７０５、検出回路７３６Ａ、７３６Ｂに出力される。ＧＳＰ７４３はスタートパルス信号であり、ＧＤ７０５に出力される。また、データ制御部７３４は、Ｓｉｇ７４９に応じて、ＶｉｄｅｏＳ７４４を生成する。ＶｉｄｅｏＳ７４４は画像信号であり、ＳＤ７０６に出力される。
【００５３】
検出回路７３６Ａ、７３６Ｂは、それぞれタッチセンサ７１０Ａ、７１０Ｂのタッチ検出を制御する機能を有する。具体的には、ＧＤ制御部７３２から入力されたＧＣＫ７４２に基づいて、それぞれタッチセンサ７１０Ａ、７１０Ｂのタッチ検出を行うための信号を生成し、タッチセンサ７１０Ａ、７１０Ｂのそれぞれに出力する。また、検出回路７３６Ａ、７３６Ｂが、それぞれタッチセンサ７１０Ａ、７１０Ｂのタッチを検出した場合に、タッチ検出を示す信号を判定回路７３７に出力する。
【００５４】
判定回路７３７は、タッチセンサ７１０Ａ、７１０Ｂのタッチ検出の組み合わせを判定する機能を有する。具体的には、検出回路７３６Ａ、７３６Ｂから入力されるタッチ検出を示す信号に基づいた割り込み要求信号を制御回路７３１に出力する。より具体的には、検出回路７３６Ａから入力された信号を所定時間だけ保持しておき、該所定時間内に検出回路７３６Ｂから信号が入力された場合に、ＩＲＱ７４７を制御回路７３１に出力する。
【００５５】
なお、検出回路７３６Ａがタッチセンサ７１０Ａのタッチを検出した場合に、タッチ検出を示す信号を判定回路７３７に出力しなくてもよい（図８参照）。図８に示す構成において、判定回路７３７は検出回路７３６Ｂからタッチ検出を示す信号が入力された場合に、ＩＲＱ７４７を制御回路７３１に出力する。
【００５６】
本発明の一態様のタッチパネルは、表示部の表示を行うための信号、具体的にはＧＣＫ７４２を用いてタッチ検出を行うことができるため、タッチパネルの制御を主とする駆動回路を設ける必要がない。よって、タッチパネルを構成する部品点数を削減することができる。
【００５７】
タッチパネル７００は、表示部７０２で表示を行わない期間にタッチセンサ７１０のタッチ検出を行うことが好ましい。タッチセンサ７１０が表示部７０２と重なる領域を有する場合、タッチ検出に係る信号が配線間の寄生容量等により変動し表示部７０２の表示に影響を与えることを抑制するためである。よって、タッチパネル７００の駆動において、１フレーム期間（フレーム周波数が６０Ｈｚの場合は１／６０秒）は表示期間およびタッチ検出期間を含む。
【００５８】
表示期間では、ＧＣＫ７４２に基づいてゲート選択線が所定の順序で画素を選択し、選択された画素にＳＤ７０６がＶｉｄｅｏＳ７４４に基づいて出力する階調信号が入力されることで、表示部７０２が表示を行う。タッチ検出期間ではゲート選択線が全て非選択の状態となるため、タッチ検出期間のＧＣＫ７４２を検出回路７３６Ａ、７３６Ｂの駆動に用いることができる。
【００５９】
また、検出回路７３６Ａが、タッチセンサ７１０Ａのタッチを検出した場合に所定の時間だけ検出回路７３６Ｂの動作を有効にする。検出回路７３６Ａがこのような機能を有することで、タッチパネル７００がタッチを検出しない待機時は検出回路７３６Ａのみを駆動することができるため、消費電力を低減することができる。
【００６０】
＜タッチパネルの構成例２＞
以下より、上述のタッチパネル７００とは異なる構成を含む、タッチパネル７５０について説明する。タッチパネル７００と共通の構成については、タッチパネル７００の説明を参照できる。
【００６１】
図９に、腕時計型のタッチパネル７５０の主な要素を含む上面図を示す。本発明の一態様のタッチパネル７５０は、筐体７０１、表示パネル、タッチセンサ７６０Ａ、７６０Ｂ、７６０Ｃを有する。表示パネルは、表示部７０２を有する。タッチパネル７５０は、タッチセンサを３つ有する点が、タッチパネル７００と異なる。タッチパネル７５０の斜視図は、図１（Ｂ）に示すタッチパネル７００と同様である。
【００６２】
タッチセンサ７６０Ａ、７６０Ｂ、７６０Ｃ（以下、３つをまとめて言及する場合はタッチセンサ７６０と記す）は、それぞれ互いに間隔を有して同一面上に設けられている。図９ではタッチセンサ７６０Ａが大きく、タッチセンサ７６０Ｂおよび７６０Ｃが同じ大きさである例を示しているが、これに限られない。タッチセンサ７６０Ａ、７６０Ｂ、７６０Ｃが全て同じ大きさであってもよく、全て異なる大きさであってもよい。
【００６３】
タッチパネル７５０は、タッチセンサ７６０が被検知体を検知することでコマンド入力を行うことができる。具体的には、例えば、タッチセンサ７６０Ａが被検知体を検知して所定時間内にタッチセンサ７６０Ｂまたはタッチセンサ７６０Ｃが被検知体を検知することで、コマンド入力を行うことができる。
【００６４】
複数のタッチセンサの連続的な検出によってコマンド入力を行うことで、外的なノイズや曖昧なタッチなどによるチャタリングを防止することができる。また、タッチセンサ７６０Ａ、７６０Ｂ、７６０Ｃがそれぞれ間隔を有して設けられることで、複数のタッチセンサが被検知体を同時に検出するなどの誤操作を防止することができる。また、タッチパネル７５０が３つのタッチセンサを有することで、複数のコマンド入力を簡便かつ確実に行うことができる。
【００６５】
また、タッチセンサ７６０Ａ、７６０Ｂ、７６０Ｃの各領域にそれぞれ一のセンサ素子を配置することでタッチパネル７５０を駆動できるため、タッチセンサ７６０の動作に係る回路の構成を簡便にすることができる。
【００６６】
なお、タッチパネル７５０はタッチセンサ７６０Ａ、タッチセンサ７６０Ｂまたはタッチセンサ７６０Ｃが被検知体を検出することでコマンド入力を行う機能を有していてもよい。
【００６７】
タッチセンサ７６０Ｂおよびタッチセンサ７６０Ｃは、タッチセンサ７６０Ａが被検知体を検出した時に有効とすることが好ましい。タッチパネル７５０の操作を行わない待機状態において、タッチセンサ７６０Ａのみを検出可能な状態とすることで、タッチパネル７５０の消費電力を低くすることができる。
【００６８】
＜タッチパネルのコマンド入力方法２＞
以下より、図１０乃至図１２を用いてタッチパネル７５０のコマンド入力方法の一例について説明する。なお、タッチセンサ７６０が有効または無効となる動作が開始されてから、実際に有効または無効となるまでにはタイムラグが生じる場合がある。
【００６９】
図１０は、タッチパネル７５０にコマンド入力を行うまでの流れを示すフローチャートである。タッチパネル７５０のコマンド入力方法は、以下の９つのステップを含む。
【００７０】
タッチパネル７５０はコマンド入力待ちの状態において、タッチセンサ７６０Ａのみが有効であり、タッチセンサ７６０Ｂ、７６０Ｃは駆動していない。まず、タッチセンサ７６０Ａが被検知体の接触または近接を検出すると、タッチセンサ７６０Ｂ、７６０Ｃが有効となる動作が開始される（図１０のＳ０１、Ｓ０２参照）。
【００７１】
タッチセンサ７６０Ｂ、７６０Ｃが有効となって時間Ｔ２以内にタッチセンサ７６０Ｂがタッチを検出し、タッチセンサ７６０Ｂがタッチを検出してから時間Ｔ３以内にタッチセンサ７６０Ｃがタッチを検出しなかった場合、タッチパネル７５０はコマンドｄが入力されたことを認識し、コマンドｄに対応する処理内容を実行する（図１０のＳ０３、Ｓ０４、Ｓ０５参照）。一方でタッチセンサ７６０Ｂがタッチを検出して時間Ｔ３以内にタッチセンサ７６０Ｃがタッチを検出した場合、タッチパネルはコマンドｅが入力されたことを認識し、コマンドｅに対応する処理内容を実行する（図１０のＳ０４、Ｓ０６参照）。
【００７２】
また、タッチセンサ７６０Ｂ、７６０Ｃが有効となって時間Ｔ２以内にタッチセンサ７６０Ｃがタッチを検出した場合、タッチパネル７５０はコマンドｆが入力されたことを認識し、コマンドｆに対応する処理内容を実行する（図１０のＳ０７、Ｓ０８参照）。
【００７３】
そして、タッチセンサ７６０Ｂ、７６０Ｃが有効となって時間Ｔ２以内にタッチセンサ７６０Ｂおよびタッチセンサ７６０Ｃがタッチを検出しなかったとき、またはコマンドｄ、コマンドｅおよびコマンドｆのいずれか一が認識された後に、タッチセンサ７６０Ｂ、７６０Ｃが無効となる動作が開始される（図１０のＳ０９参照）。
【００７４】
タッチパネル７５０へのコマンド入力は、フリックまたはスワイプによって行うことが好ましい。タッチセンサ７６０Ａ、７６０Ｂ、７６０Ｃのそれぞれが間隔を有して広い領域に設けられているため、使用者の目視に依存することなく確実にコマンド入力を行うことができる。
【００７５】
例えば、図１１（Ａ）に示すように指７７７でタッチセンサ７６０Ａを始点、タッチセンサ７６０Ｂを終点としたフリックまたはスワイプを行うことで、コマンドｄを入力することができる。また例えば、図１１（Ｂ）に示すように指７７７でタッチセンサ７６０Ａを始点としてタッチセンサ７６０Ｂを経由し、タッチセンサ７６０Ｃを終点としたフリックまたはスワイプを行うことで、コマンドｅを入力することができる。また例えば、図１２に示すように指７７７でタッチセンサ７６０Ａを始点、タッチセンサ７６０Ｃを終点としたフリックまたはスワイプを行うことで、コマンドｆを入力することができる。
【００７６】
時間Ｔ２は任意に設定することができる。例えば、図１１（Ａ）および図１２に示すフリックまたはスワイプによってコマンド入力を行う場合、タッチセンサ７６０Ａ、７６０Ｂ間の距離ならびにタッチセンサ７６０Ａ、７６０Ｃ間の距離、および指７７７の移動速度に応じて時間Ｔ２を設定する。具体的には、時間Ｔ２は０．０５秒以上０．５秒以下とする。
【００７７】
また、時間Ｔ３は任意に設定することができる。例えば、図１１（Ｂ）に示すフリックまたはスワイプによってコマンド入力を行う場合、タッチセンサ７６０Ｂ、７６０Ｃ間の距離、および指７７７の移動速度に応じて時間Ｔ３を設定する。具体的には、時間Ｔ３は０．０５秒以上０．５秒以下とする。
【００７８】
コマンドｄ、コマンドｅおよびコマンドｆのそれぞれに対応する処理内容としては、それぞれ上述の処理内容を適宜割り当てることができる。
【００７９】
（実施の形態２）
本実施の形態では、図１３、図１４、および図１５に示す、タッチパネルのコマンド入力方法を用いた電子機器の表示システムについて説明する。
【００８０】
図１３に、タッチパネル７８０を用いた表示システムの一例について示す。また図１４に、図１３に対応する表示システムのブロック図を示す。
【００８１】
図１３、および図１４に示すタッチパネル７８０は、通信部７８１を有する。また図１３、および図１４に示すタッチパネル７８０は、タッチパネル７８０の外部に設けられた演算装置７８２Ａ、および演算装置７８２Ｂと、データの送受信が可能である。
【００８２】
タッチパネル７８０は、タッチセンサ７１０、ドライバＩＣ７３５、制御回路７３１、通信部７８１、および表示部７０２が設けられている。
【００８３】
通信部７８１は、外部の演算装置７８２Ａにデータ７８４を送信する機能を有する。通信部７８１は、外部の演算装置７８２Ａからデータ７８５を受信する機能を有する。
【００８４】
なお通信部７８１は、外部の演算装置７８２Ａとのデータ７８４及びデータ７８５の送受信を、無線通信で行うことが好ましい。当該無線通信には、Ｗｉ−Ｆｉ（Ｗｉｒｅｌｅｓｓ  Ｆｉｄｅｌｉｔｙ：登録商標）やＢｌｕｅｔｏｏｔｈ（登録商標）、ＺｉｇＢｅｅ（登録商標）等の通信規格化された方式の無線ＬＡＮなどを用いればよい。このように、通信部７８１と外部の演算装置７８２Ａとで無線通信を行うことにより、使用者は負担を感じることなく、タッチパネル７８０を快適に使用することができる。
【００８５】
また、データ７８４は、タッチパネルにより入力されたコマンドに応じて、生成される。また、データ７８５は、データ７８４に応じて、読みだされたデータである。
【００８６】
外部の演算装置７８２Ａは、ネットワーク７８３に接続されており、ネットワーク７８３を介して外部の演算装置７８２Ｂと接続されている。ここで、外部の演算装置７８２Ａ及び外部の演算装置７８２Ｂは、タブレット型のコンピュータ、ノート型のコンピュータ、デスクトップ型のコンピュータ、サーバシステムのような大型のコンピュータ、スーパーコンピュータ、スマートフォン、携帯電話、ゲーム機、携帯型のゲーム機または携帯情報端末などに組み込まれたものを用いることができる。
【００８７】
外部の演算装置７８２Ａは、通信部７８１とデータ７８４及びデータ７８５の送受信を行う機能を有し、且つ外部の演算装置７８２Ｂとネットワーク７８３を介して通信する機能を有する。外部の演算装置７８２Ａは、例えば、デスクトップ型のコンピュータなどに組み込まれたものを用いればよい。
【００８８】
外部の演算装置７８２Ｂは、データ７８４に応じて、データ７８５を供給する機能を有する。また、外部の演算装置７８２Ｂは、外部の演算装置７８２Ａとネットワーク７８３を介して通信する機能を有する。よって、外部の演算装置７８２Ｂは、外部の演算装置７８２Ａより記憶容量が大きいものが好ましい。よって、外部の演算装置７８２Ｂは、例えば、サーバシステムのような大型のコンピュータに組み込まれたものを用いればよい。
【００８９】
このように、図１３に示す表示システムでは、タッチパネル７８０で入力されたコマンドに応じて、ネットワーク７８３を通じて演算装置７８２Ｂから、データを取得することができる。演算装置７８２Ｂが組み込まれたコンピュータ（例えば、サーバシステムなど）は、タッチパネル７８０より非常に大量の計算資源を有する。このようにクラウドコンピューティングを行うことで、タッチパネル７８０において、より多種多様なデータを取り扱うことができる。
【００９０】
また、図１５にタッチパネル７８０を用いた表示システムを説明するフローチャートを示す。
【００９１】
ステップＳ２１では、タッチパネルにより入力されたコマンドａの認識を行う。タッチパネル、およびコマンドの入力方法は先の実施の形態で説明した構成、及び方法を用いる。
【００９２】
タッチセンサ７１０Ａのみが有効であり、タッチセンサ７１０Ｂが駆動していない状態において、タッチセンサ７１０Ａが被検知体の接触または近接を検出すると、タッチセンサ７１０Ｂが有効となる動作が開始される。その後、タッチセンサ７１０Ｂがタッチを検出すると、タッチパネル７００はコマンドａが入力されたことを認識し、ステップＳ２２のコマンドａに対応する処理内容を実行し、制御回路７３１においてコマンドａに応じたデータ（データ７８４）を生成する。
【００９３】
ステップＳ２３では、コマンドａに応じたデータ（データ７８４）を、通信部７８１から外部の演算装置７８２Ａに送信する。
【００９４】
ステップＳ２４では、外部の演算装置７８２Ａからネットワーク７８３を介して外部の演算装置７８２Ｂにデータ７８４を送信する。
【００９５】
ステップＳ２５では、データ７８４に応じたデータ（データ７８５）を、演算装置７８２Ｂから読み出す。なお、データ７８５は、演算装置７８２Ｂに記憶されたデータを読み出すだけでなく、データ７８４のコマンドをもとに、演算装置７８２Ｂで生成されてもよい。
【００９６】
ステップＳ２６では、外部の演算装置７８２Ｂからネットワーク７８３を介して外部の演算装置７８２Ａにデータ７８５を送信する。
【００９７】
ステップＳ２７では、データ７８５を、外部の演算装置７８２Ａから通信部７８１に送信する。
【００９８】
ステップＳ２８では、通信部７８１で受信したデータ７８５をもとに、制御回路７３１において、所定の信号であるＳｉｇ７４８、およびＳｉｇ７４９を生成する。
【００９９】
ステップＳ２９では、Ｓｉｇ７４８、およびＳｉｇ７４９をもとに表示データを生成し、表示部７０２に出力する。具体的には、ステップＳ２８で生成したＳｉｇ７４８、およびＳｉｇ７４９をそれぞれＧＤ制御部７３２、およびデータ制御部７３４に出力する。ＧＤ制御部７３２は、Ｓｉｇ７４８に応じて、ＧＣＫ７４２、ＧＳＰ７４３を生成する。ＧＣＫ７４２はクロック信号であり、ＧＤ７０５、検出回路７３６Ａ、７３６Ｂに出力される。ＧＳＰ７４３はスタートパルス信号であり、ＧＤ７０５に出力される。また、データ制御部７３４は、Ｓｉｇ７４９に応じて、ＶｉｄｅｏＳ７４４を生成する。ＶｉｄｅｏＳ７４４は画像信号であり、ＳＤ７０６に出力される。
【０１００】
以上のように、図１３、図１４、および図１５に示す構成において、大容量の演算装置とデータを送受信が可能となる為、筐体７０１の小型化、軽量化を図ることができるので、使用者はタッチパネル７８０を、より快適に使用することができる。また、演算装置７８２Ａ、および演算装置７８２Ｂを内部に形成する必要がないため、タッチパネル７８０の省電力化を図ることができる。また、高速な外部の演算装置７８２Ｂを用いたクラウドコンピューティングを行うことで、より高精細な表示データをより高速に表示することができる。
【０１０１】
また、図１３、図１４、および図１５において、ネットワーク７８３を介して、外部の演算装置７８２Ｂにデータ７８４からデータ７８５を生成する演算を行わせる構成について示したが、本発明に示す電子機器はこれに限られるものではない。例えば、演算装置７８２Ｂを用いずに、演算装置７８２Ａにおいて、データ７８４からデータ７８５を生成する演算を行わせる構成としてもよい。
【０１０２】
また、図１３、図１４、および図１５において、外部の演算装置７８２Ａを介して、外部の演算装置７８２Ｂにデータ７８４およびデータ７８５を送受信する構成について示したが、本発明に示す電子機器はこれに限られるものではない。例えば、演算装置７８２Ａを介さず、通信部７８１がネットワーク７８３に接続され、演算装置７８２Ｂとデータ７８４およびデータ７８５の送受信を行う構成としてもよい。
【０１０３】
本実施の形態は、他の実施の形態などに記載した構成と適宜組み合わせて実施することが可能である。
【符号の説明】
【０１０４】
７００    タッチパネル
７０１    筐体
７０２    表示部
７０５    ＧＤ
７０６    ＳＤ
７１０    タッチセンサ
７１０Ａ    タッチセンサ
７１０Ｂ    タッチセンサ
７２１    操作ボタン
７２２    操作ボタン
７２３    留め金
７２５Ａ    バンド
７２５Ｂ    バンド
７３１    制御回路
７３２    ＧＤ制御部
７３４    データ制御部
７３５    ドライバＩＣ
７３６Ａ    検出回路
７３６Ｂ    検出回路
７３７    判定回路
７４２    ＧＣＫ
７４３    ＧＳＰ
７４４    ＶｉｄｅｏＳ
７４７    ＩＲＱ
７４８    Ｓｉｇ
７４９    Ｓｉｇ
７５０    タッチパネル
７６０    タッチセンサ
７６０Ａ    タッチセンサ
７６０Ｂ    タッチセンサ
７６０Ｃ    タッチセンサ
７７７    指
７８０    タッチパネル
７８１    通信部
７８２Ａ    演算装置
７８２Ｂ    演算装置
７８３    ネットワーク
７８４    データ
７８５    データ
【図１】
0006775400.tif 000002
【図２】
0006775400.tif 000003
【図３】
0006775400.tif 000004
【図４】
0006775400.tif 000005
【図５】
0006775400.tif 000006
【図６】
0006775400.tif 000007
【図７】
0006775400.tif 000008
【図８】
0006775400.tif 000009
【図９】
0006775400.tif 000010
【図１０】
0006775400.tif 000011
【図１１】
0006775400.tif 000012
【図１２】
0006775400.tif 000013
【図１３】
0006775400.tif 000014
【図１４】
0006775400.tif 000015
【図１５】
0006775400.tif 000016